(57)【要約】【課題】建設用資材攪拌機を利用して使用済み缶容器を刃物で切断することができるようにし、減量化のための切断作業が簡単かつ省力的に行なえ、周辺を建設用資材で汚すようなことがなく、缶容器の効果的な減量化を実現できる缶容器の切断処理装置を提供する。【解決手段】建設用資材攪拌機１を用い、この攪拌機１のターンテーブル３上の缶容器Ａを切断するための切断処理装置であって、切断用バドル１１が、攪拌機１のバドルアーム４に枢止する一方垂直部１２と、ターンテーブル３上の缶容器Ａの内部に挿入する他方垂直部１３を有し、他方垂直部１３の下端部に缶容器Ａの切断刃物１５が設けられている。【選択図】　図１
2004066378.tif 000002
【特許請求の範囲】
【請求項１】
基台上に、建設用資材を収納した缶容器を載置固定して回転するターンテーブルと、このターンテーブルから離れた位置で起立し、攪拌用バドルの揺動支点となるバドルアームとを設け、缶容器の正逆回転により、攪拌用バドルで建設用資材を攪拌するようにした建設用資材攪拌機を用い、ターンテーブル上の缶容器を切断するための切断処理装置であって、切断用バドルが、バドルアームに枢止する一方垂直部と、ターンテーブル上の缶容器の内部に挿入する他方垂直部を有し、他方垂直部の下端部に缶容器の切断刃物が設けられている缶容器の切断処理装置。
【請求項２】
上記切断刃物が、切断用バドルの他方垂直部に、缶容器の胴部下端部を切断するように設けられている請求項１に記載の缶容器の切断処理装置。
【請求項３】
上記切断刃物が、切断用バドルの他方垂直部に、缶容器の底部を切断するように設けられている請求項１に記載の缶容器の切断処理装置。
【発明の詳細な説明】
【０００１】
【発明の属する技術分野】
この発明は、建設用資材を収納するために用いられている缶容器を、建設用資材の使用済み後に廃棄する場合、減量化のために切断する切断処理装置に関する。
【０００２】
【従来の技術】
防水材や吹き付け材、シーリング材等の建設用資材は、蓋付きの缶容器に収納した荷姿になっており、内部の建設用資材を使用した後の缶容器は、不要物となるので廃棄処分にしている。
【０００３】
上記建設用資材は、その使用時に凝固するのを防止するため、建設用資材攪拌機を用い、缶容器内の建設用資材を攪拌するようにしている。
【０００４】
この建設用資材攪拌機は、基台上に、建設用資材を収納した缶容器を載置固定して正逆回転するターンテーブルと、このターンテーブルから離れた位置で起立し、攪拌用バドルの揺動支点となるバドルアームとを設け、バドルアームに取り付けた攪拌用バドルの攪拌羽根を設けた部分を缶容器内に挿入し、缶容器の正逆回転により、攪拌用バドルの攪拌羽根で建設用資材を攪拌するようになっている。
【０００５】
上記のような缶容器は、そのままでは嵩張り、保管のために広いスペースを確保しなければならないと共に、廃棄のための処分設備への輸送コストも嵩むことになるので、使用済み缶容器は減量化が必要になる。
【０００６】
従来、使用済み缶容器を減量化する方法は、缶容器の胴部を足で踏み付けて押し潰すのが一般的である。
【０００７】
また、別の方法としては、缶容器を上下反転させ、底板の周囲を手動刃物の突き刺しと周方向への移動により切り抜き、この後、胴部を足で踏み付けて押し潰すようにしている。
【０００８】
【発明が解決しようとする課題】
しかしながら、上記した前者の方法は、底板が有るため胴部の押し潰し作業が行いにくいと共に、完全に押し潰すことができないので、どうしても嵩張ることになる。
【０００９】
また、後者の手動刃物による切断は、胴部の押し潰し作業が確実に行えるという利点はあるが、底板の切断に手間がかかると共に、缶容器を上下反転させるために、缶容器の内部に残っている建設用資材がこぼれて周辺を汚すことになる。
【００１０】
そこで、この発明の課題は、建設用資材の使用時に必ず用意される建設用資材攪拌機に着目し、この攪拌機を利用して使用済み缶容器を刃物で切断することができるようにし、減量化のための切断作業が簡単かつ省力的に行なえ、周辺を建設用資材で汚すようなことがなく、缶容器の効果的な減量化を実現できる缶容器の切断処理装置を提供することにある。
【００１１】
【課題を解決するための手段】
上記のような課題を解決するため、この発明は、基台上に、建設用資材を収納した缶容器を載置固定して回転するターンテーブルと、このターンテーブルから離れた位置で起立し、攪拌用バドルの揺動支点となるバドルアームとを設け、缶容器の正逆回転により、攪拌用バドルで建設用資材を攪拌するようにした建設用資材攪拌機を用い、ターンテーブル上の缶容器を切断するための切断処理装置であって、切断用バドルが、バドルアームに枢止する一方垂直部と、ターンテーブル上の缶容器の内部に挿入する他方垂直部を有し、他方垂直部の下端部に缶容器の切断刃物が設けられている構成を採用したものである。
【００１２】
上記切断刃物は、切断用バドルの他方垂直部に、缶容器の胴部下端部を切断するように設けられているようにしたり、切断用バドルの他方垂直部に、缶容器の底部を切断するように設けた構造を採用することができる。
【００１３】
建設用資材攪拌機のターンテーブル上に固定した缶容器内の建設用資材を使い切ると、攪拌用バドルに代えて切断用バドルをバドルアームに取り付け、切断用バドルの他方垂直部を缶容器内に挿入し、ターンテーブルでこの缶容器を回転させた状態で切断用バドルを手で缶容器の周縁側に移動させ、切断刃物を胴部又は底板に押し付けることにより、回転する缶容器の胴部下端又は底板の周囲を切断することができ、これにより、缶容器を胴部と底板に分離することができ、切断後にターンテーブルを止めて切断用バドルを取り外し、胴部を足で踏み付けて押し潰すようにする。
【００１４】
【発明の実施の形態】
以下、この発明の実施の形態を図示例と共に説明する。
【００１５】
図１と図２は、缶容器Ａに入った建設用資材を攪拌するために用いられている建設用資材攪拌機１の一例を示し、ケース状となる基台２上に、建設用資材を収納した缶容器Ａを載置固定し、基台２内のモータで正逆回転するターンテーブル３と、このターンテーブル３から離れた位置で起立し、攪拌用バドルの揺動支点となるバドルアーム４とを設け、缶容器Ａの正逆回転により、図示省略した攪拌用バドルの羽根で建設用資材を攪拌するようになっている。
【００１６】
なお、攪拌用バドルは、金属パイプを下向きコ字状に折り曲げ、バドルアーム４に嵌合枢止する一方垂直部と、ターンテーブル３上の缶容器Ａの内部に挿入する他方垂直部を有し、他方垂直部に羽根を設けた構造からなり、缶容器Ａの回転を正逆切り換えることにより、建設用資材との間に発生する抵抗で自動的に揺動し、建設用資材を攪拌するようになっている。
【００１７】
また、ターンテーブル３には、缶容器Ａの下部を締め付け固定し、ターンテーブル３と一体に缶容器を回転させる保持機構５が設けられている。
この発明の切断処理装置は、上記建設用資材攪拌機１を利用し、攪拌用バドルに代えて切断用バドル１１を用い、ターンテーブル３に固定した缶容器Ａを切断するものである。
【００１８】
上記切断用バドル１１は、一本の金属パイプを用い、バドルアーム４に枢止する一方垂直部１２と、ターンテーブル３上の缶容器Ａの内部に挿入する他方垂直部１３を上端の水平部１４で連成して下向きコ字状に折り曲げ形成され、他方垂直部１３の下端部に缶容器Ａの切断刃物１５を設けた構造になっている。
【００１９】
この切断用バドル１１は、一方垂直部１２をバドルアーム４に枢止した状態で、他方垂直部１３の下端がターンテーブル３上の缶容器Ａの底板ａに接近するようなコ字状に形成されている。
【００２０】
図３は、缶容器Ａの胴部ｂを下端部の位置で切断する切断刃物１５の例を示し、他方垂直部１３の下端部に、両端が先鋭の刃先となる切断刃物１５を、他方垂直部１３の揺動方向に刃先が向くよう水平に固定したものである。
【００２１】
図４は、缶容器Ａの底板ａを外周部に沿って切断する切断刃物１５の例を示し、他方垂直部１３の下端部に、下端が先鋭の刃先となる切断刃物１５を、刃先が下に向くよう垂直に固定したものである。
【００２２】
次に、この発明の切断用バドル１１による缶容器Ａの切断方法を説明する。
【００２３】
建設用資材攪拌機１のターンテーブル３上に固定した缶容器Ａ内の建設用資材を使い切ると、攪拌用バドルに代えて切断用バドル１１をバドルアーム４に取り付け、切断用バドル１１の他方垂直部１３を缶容器Ａ内に挿入し、ターンテーブル３でこの缶容器Ａを回転させた状態で切断用バドル１１を手で缶容器Ａの周縁側に移動させ、切断刃物１５を胴部ｂ又は底板ａに押し付けることにより、回転する缶容器Ａの胴部ｂ下端又は底板ａの周囲を切断することができる。
【００２４】
図５は、缶容器Ａの胴部ｂの下端を切断刃物１５で切断している状態を示し、図７のように、缶容器Ａは、胴部ｂと胴部ｂが少し残った底板ａとに分離される。
【００２５】
また、図６は、缶容器Ａの底板ａを切断刃物１５で切断している状態を示し、図８のように、缶容器Ａは、胴部ｂと底板ａとに分離される。
【００２６】
切断後にターンテーブル３を止めて切断用バドル１１を取り外し、ターンテーブル３上から胴部ｂと底板ａを除去し、胴部ｂは足で踏み付けて押し潰すようにすることにより、缶容器Ａは偏平な胴部ｂと底板ａに減量化することができる。
【００２７】
上記胴部ｂは、底板ａがないので、押し潰し作業が簡単に行え、しかも、偏平に押し潰すことができることになる。
【００２８】
また、缶容器Ａはターンテーブル３上に固定された状態で胴部ｂと底板ａに切断されるので、缶容器Ａ内に建設用資材が残っているような場合でも、建設用資材が外部にこぼれ出るようなことがない。
【００２９】
【発明の効果】
以上のように、この発明によると、建設用資材攪拌機のターンテーブル上に固定した缶容器を切断するための切断処理装置であって、切断用バドルが、バドルアームに枢止する一方垂直部と、ターンテーブル上の缶容器の内部に挿入する他方垂直部を有し、他方垂直部の下端部に缶容器の切断刃物が設けられているので、ターンテーブル上に固定した缶容器内の建設用資材を使い切ると、攪拌用バドルに代えて切断用バドルをバドルアームに取り付け、切断用バドルの他方垂直部を缶容器内に挿入し、ターンテーブルでこの缶容器を回転させた状態で切断用バドルを手で缶容器の周縁側に移動させ、切断刃物を胴部又は底板に押し付けることにより、回転する缶容器の胴部下端又は底板の周囲を切断することができ、これにより、缶容器を胴部と底板に分離することができ、胴部は足で踏み付けて押し潰すようにすることにより、缶容器は偏平な胴部と底板に減量化することができる。
【００３０】
また、ターンテーブル上に固定した缶容器を回転させ、切断刃物の押し切りで缶容器を胴部と底板に切断することができ、缶容器の切断作業が簡単に能率よく行うことができる。
【００３１】
更に、ターンテーブル上に固定された缶容器を胴部と底板に切断されるので、缶容器内に建設用資材が残っているような場合でも、建設用資材が外部にこぼれ出るようなことがなく、周辺を汚すようなことがない。
【図面の簡単な説明】
【図１】建設用資材攪拌機とこれに装着した缶容器及び切断用バドルを示す縦断正面図
【図２】同上の平面図
【図３】切断刃物が缶容器の胴部の下端を切断する切断用バドルの斜視図
【図４】切断刃物が缶容器の底板を切断する切断用バドルの斜視図
【図５】切断刃物で缶容器の胴部の下端を切断している状態を示す横断平面図
【図６】切断刃物で缶容器の底板を切断している状態を示す横断平面図
【図７】（Ａ）は缶容器の胴部の下端を切断した状態を示す分解斜視図、（Ｂ）は同縦断面図
【図８】（Ａ）は缶容器の底板を切断した状態を示す分解斜視図、（Ｂ）は同縦断面図
【符号の説明】
１　　建設用資材攪拌機
２　　基台
３　　ターンテーブル
４　　バドルアーム
１１　切断用バドル
１２　一方垂直部
１３　他方垂直部
１４　水平部
１５　切断刃物
Ａ　　缶容器
ａ　　底板
ｂ　　胴部
【図１】
2004066378.tif 000003
【図２】
2004066378.tif 000004
【図３】
2004066378.tif 000005
【図４】
2004066378.tif 000006
【図５】
2004066378.tif 000007
【図６】
2004066378.tif 000008
【図７】
2004066378.tif 000009
【図８】
2004066378.tif 000010